(57)【要約】      （修正有）【課題】簡易的にパターの練習をすることができるゴルフボール収納箱を提供する。【解決手段】ゴルフボール収納箱１には、複数のゴルフボールが収納可能である。ゴルフボール収納箱の裏面には、ホールカップ４が印刷されていて、ホールカップからはスティック６が突出し、ホールカップの周囲には芝５が印刷される。ユーザは、ゴルフボール収納箱を裏面が上になるように床に載置し、印刷されたホールカップに向けてボールを打つことでパター練習を行うことができる。【選択図】図３
0003226833.tif 000002
【実用新案登録請求の範囲】
【請求項１】
ゴルフボールを直接的又は間接的に収納するゴルフボール収納箱において、
裏面にホールカップが印刷されていることを特徴とするゴルフボール収納箱。
【請求項２】
前記ホールカップは傾斜するように印刷され、周囲に芝が印刷されていることを特徴とする請求項１に記載のゴルフボール収納箱。
【請求項３】
ゴルフボール収納箱は直方体であって、長手方向の辺にミシン目が形成されていることを特徴とする請求項１又は２に記載のゴルフボール収納箱。
【考案の詳細な説明】
【技術分野】
【０００１】
本考案は、ゴルフボール収納箱に関し、特に直方体のゴルフボール収納箱に関する。
【背景技術】
【０００２】
従来より、ゴルフボールを収納するためのゴルフボール用パッケージに識別マークを付したものが知られている（例えば、特許文献１）。識別マークは、収納されているゴルフボールに対応しており、数字又はアラビア文字等で表記される。これにより、収納されているゴルフボールの識別マークを外部から容易に確認することができる。
【０００３】
また、他のゴルフボール収納箱では、直方体形状の上部が１／５の範囲に亘って他とは異なる赤色系の異色領域が設けられている。これにより、ゴルフボール収納箱の１／５の領域はボール１個分に相当するため、収納箱に５個入りではあるが４個分の値段であることを付すことで、購入者に１つお得であることを強く印象付けることができる。
【先行技術文献】
【特許文献】
【０００４】
【特許文献１】実用新案登録第３１１３８３８号
【特許文献２】特開２０００−３４４２８４号公報
【考案の概要】
【考案が解決しようとする課題】
【０００５】
ユーザが屋内等でパター練習を行う際は、ホールカップが設けられているパターマットを用意する必要があった。パターマットは数ｍの長さがあり、敷設のために広く場所を確保しなければならなかった。さらに、パターマットを収納する際は場所をとってしまうため、コンパクトなパター練習用具が求められていた。
【０００６】
通常販売されているゴルフボールを収納する箱は、表面には商品説明や図柄が印刷されているが、裏面は何も印刷されていない。そこで、本考案者はゴルフボール収納箱の裏面をパター練習用具として活用することを見出した。
【０００７】
本考案は、簡易的にパターの練習をすることができるゴルフボール収納箱を提供することを目的とする。
【課題を解決するための手段】
【０００８】
上記課題を解決するために本考案は、ゴルフボールを直接的又は間接的に収納するゴルフボール収納箱において、裏面にホールカップが印刷されていることを特徴とするゴルフボール収納箱を提供する。
【０００９】
なお、ゴルフボール収納箱とは、１つ以上のゴルフボールが直接収納される箱であってもよく、ゴルフボールを間接的に収納する、つまりそれらの箱を複数収納するための化粧箱であってもよい。また、裏面とは、商品展示の際に表から視認することができない面をいう。
【００１０】
第２の考案では、第１の考案のゴルフボール収納箱であって、前記ホールカップは傾斜するように印刷され、周囲に芝が印刷されていることを特徴としている。
【００１１】
第３の考案では、第１の考案又は第２の考案に記載のゴルフボール収納箱であって、ゴルフボール収納箱を構成する長手方向の辺にミシン目が形成されていることを特徴としている。
【考案の効果】
【００１２】
第１の考案によると、ゴルフボール収納箱の裏面にホールカップが印刷されているため、裏面を上にして床に置くことでパター練習を行うことができる。これにより、ユーザは新たにパターマット等を準備することなく任意の場所でパター練習を行うことができる。一般にゴルフボール収納箱の裏面には何も印刷されていないため、ホールカップを印刷するスペースは十分に存在している。また、ゴルフボール収納箱の裏面にホールカップを印刷するため、ホールカップは外部から視認されずゴルフボール収納箱の外観を損なわない。これにより、現在使用している外観を変えることなく、ゴルフボール収納箱をパター練習用具として使用できる。
【００１３】
第２の考案によると、ホールカップがゴルフボール収納箱に傾斜するように印刷されているため、実際のゴルフホールと似た感覚でホールカップの位置を認識することができ、使い勝手のよいパター練習用具を実現することができる。また、ホールカップの周囲に芝が印刷されているため、よりパターマットに近い雰囲気でパター練習を行うことができる。
【００１４】
第３の考案によると、直方体の長手方向の辺にミシン目が形成されているため、容易にゴルフボール収納箱を展開することができる。また、ミシン目を使って展開することにより、展開の際に一部が破けてしまってホールカップの印刷の一部が欠けてしまうということを抑止できる。
【００１５】
本考案によると、簡易的にパターの練習をすることができるゴルフボール収納箱を提供することができる。
【図面の簡単な説明】
【００１６】
【図１】本考案の第１の実施の形態のゴルフボール収納箱の外観斜視図。
【図２】本考案の第１の実施の形態のゴルフボール収納箱の表面の展開図。
【図３】本考案の第１の実施の形態のゴルフボール収納箱の裏面の展開。
【図４】本考案の第１の実施の形態のゴルフボール収納箱の使い方を説明するための図。
【図５】本考案の第２の実施の形態のゴルフボール収納箱の分解斜視図。
【図６】本考案の第２の実施の形態のゴルフボール収納箱の内側の面を表す斜視図。
【考案を実施するための形態】
【００１７】
本考案の第１の実施の形態によるゴルフボール収納箱１を図１から図４に基づいて説明する。
【００１８】
ゴルフボール収納箱１は、３つのゴルフボール１０を収納可能な直方体であって、展開すると図２のような形状となる。なお、ゴルフボール収納箱１のサイズはゴルフボール１０を３つ収納可能に限定されず、１つであっても、４つ以上であってもよい。また、直方体に限定されず立方体であっても角柱であってもよい。
【００１９】
ゴルフボール収納箱１の長手方向の辺には、ミシン目２が形成されている。ユーザがゴルフボール収納箱１を展開するときは、ミシン目２を切り離すことで図２に示す状態とすることができる。なお、ミシン目２は、長手方向の４つの辺のうち、展開したときに図２の状態となる辺に形成される。
【００２０】
図２は、ゴルフボール収納箱１の表面を表しており、表面に印刷された図柄の図示を省略する。ゴルフボール収納箱１を直方体として形成する際ののりしろ３は、点線で示す。
【００２１】
図３にゴルフボール収納箱１の裏面を示す。ゴルフボール収納箱１の裏面には、展開した際にのりしろ３が上部に位置している。ゴルフボール収納箱１の裏面の略中央部分には、ホールカップ４が印刷されている。ここでいう略中央とは、左右方向における中央をいう。ホールカップ４は、実際の直径である１０８ミリメートルであることが望ましい。ホールカップ４は、斜めから見た状態であるように傾斜した状態で印刷される。ここでいう傾斜した状態での印刷とは、ホールカップ４が真円ではなく楕円状に描かれていることをいう。これにより、ユーザ１１は実際にゴルフホールに立ったときと同様の視点で、ホールカップ４を見ることができる。
【００２２】
のりしろ３がゴルフボール収納箱１の上部となるように、ホールカップ４の位置を決定する。仮に、のりしろ３がゴルフボール収納箱１の下部に位置すると、ゴルフボール１０がのりしろ３を通過する際に段差で軌道が変わる可能性がある。本考案のゴルフボール収納箱１によると、のりしろ３が上部に位置しているため、のりしろ３がパター練習の邪魔にならない。
【００２３】
ホールカップ４の周囲には、芝５が印刷され、ホールカップ４からはスティック６が上方に突出するように印刷される。ホールカップ４と芝５との間には、芝断面７が印刷されている。芝断面７は、左右方向に均等になるように印刷されるが、よりパッドの臨場感を演出するために傾斜を付けるように左右方向で厚みを変えるように印刷してもよい。
【００２４】
次に、ゴルフボール収納箱１の使い方を、図４を参照して説明する。ユーザ１１は、ゴルフボール収納箱１を展開して裏面が上であってのりしろ３が奥に位置するように床に載置し、パター１２でゴルフボール１０を、ホールカップ４に向けて打つ。これにより、簡単にパター練習を行うことができる。
【００２５】
このような構成によると、ゴルフボール収納箱１の裏面にホールカップ４が印刷されているため、裏面を上にして床に置くことでパター練習を行うことができる。これにより、ユーザ１１は新たにパターマット等を準備することなくパター練習を行うことができる。一般にゴルフボール収納箱１の裏面には何も印刷されていないため、ホールカップ４を印刷するスペースは十分に存在している。また、ゴルフボール収納箱１の裏面にホールカップ４を印刷するため、ホールカップ４は外部から視認されずゴルフボール収納箱１の外観を損なわない。これにより、現在使用している外観を変えることなく、ゴルフボール収納箱１をパター練習用具として使用できる。
【００２６】
このような構成によると、ホールカップ４がゴルフボール収納箱１に傾斜するように印刷されているため、実際のゴルフホールと似た感覚でホールカップ４の位置を認識することができ、使い勝手のよいパター練習用具を実現することができる。また、ホールカップ４の周囲に芝５が印刷されているため、よりパターマットに近い雰囲気でパター練習を行うことができる。
【００２７】
このような構成によると、直方体の長手方向の辺にミシン目２が形成されているため、容易にゴルフボール収納箱１を展開することができる。また、ミシン目２を使って展開することにより、展開の際に一部が破けてしまってホールカップ４の印刷の一部が欠けてしまうということを抑止できる。
【００２８】
次に、第２の実施の形態を図５及び図６を参照して説明する。ゴルフボール収納箱１０１は、第１の実施の形態のゴルフボール収納箱１を４つ収納することができる化粧箱である。
【００２９】
ゴルフボール収納箱１０１は、上箱１１０と、下箱１１１と、から構成される。下箱１１１の側壁１１２の４つの辺のうち２つにミシン目１０２が形成されている。図６に示すように、ゴルフボール収納箱１０１の裏面にはホールカップ１０４と、芝１０５と、スティック１０６と、が印刷されている。これらの図柄は、下箱１１１の底面及び両側にミシン目１０２が形成された側壁１１２に印刷される。なお、下箱１１１の全ての側壁１１２の内側面に芝１０５が印刷されていてもよい。
【００３０】
ユーザがゴルフボール収納箱１０１をパター練習具として使用するときは、ゴルフボール収納箱１０１のミシン目１０２を開いて手前側の側壁１１２を倒し、当該倒した側壁１１２が手前になるように床に載置する。パターでゴルフボールを、ホールカップ１０４に向けて打つことにより、簡単にパター練習を行うことができる。
【００３１】
このような構成によると、ゴルフボール収納箱１０１の側壁１１２が壁となって、ゴルフボールが下箱１１１内に納まる。これにより、ユーザが遠くまでゴルフボールを取りに行く手間を軽減させることができる。
【００３２】
本考案の実施の形態は、上述した実施の形態に限定されず、実用新案登録請求の範囲に記載された考案の要旨の範囲内で種々の変更が可能である。
【００３３】
上記の実施の形態では、ゴルフボール収納箱１に貫通穴等が形成されていなかったが、これに限定されない。例えば、ゴルフボール収納箱１に貫通穴が形成されていてもよい。この場合には、貫通穴の位置とホールカップとの位置を合わせることが好ましい。
【符号の説明】
【００３４】
１、１０１      ゴルフボール収納箱
２      ミシン目
３      のりしろ
４      ホールカップ
５      芝
６      スティック
【図１】
0003226833.tif 000003
【図２】
0003226833.tif 000004
【図３】
0003226833.tif 000005
【図４】
0003226833.tif 000006
【図５】
0003226833.tif 000007
【図６】
0003226833.tif 000008